(57)【特許請求の範囲】
【請求項１】
チャンバおよび注ぎ口付きの蓋を有する使い捨てのレセプタクルに、関連の吸引システムを使用して収集した廃棄物を処理するリザーバシステムであって、
廃棄物処理剤を貯蔵する開放口付きの閉じた容器と、
開放端部分およびほぼ閉じた端部分を有する円筒形のディフューザキャップとを備え、閉端部分は複数の半径方向開口部を有して、開放端部分は、処理済コンテナの開放口に入れ子式に対合し、さらに、
組み合わせたディフューザキャップと処理剤コンテナとをレセプタクルの蓋の口に取り付けるための内壁と、これとおおむね同心円の外壁とを有する二重壁スリーブを備え、キャップがスリーブに対して第一位置にあるときは、内壁の内面が、ディフューザキャップの半径方向開口部を密封状態で覆い、内壁の外面と外壁が、レセプタクルの蓋の口と密封状態で嵌合し、したがってディフューザキャップは二重壁スリーブの第二位置へ、軸方向に摺動可能であり、半径方向開口部が、スリーブの内壁の内面を越え、したがって廃棄物処理剤の通路が薬剤コンテナからレセプタクルのチャンバへと開くリザーバシステム。
【請求項２】
さらに、ディフューザキャップの二重壁スリーブにおける第一位置から第二位置への摺動が早すぎるのを防止する手段を含む、請求の範囲第１項に記載のリザーバ。
【請求項３】
防止手段が、ディフューザキャップの開放端部分に着脱可能な状態で配置されたクリップである、請求の範囲第２項に記載のリザーバ。
【請求項４】
吸引システムが適切に機能するよう、リザーバシステムを、レセプタクルの蓋の口に密封状態で取り付ける、請求の範囲第３項に記載のリザーバ。
【請求項５】
ディフューザキャップの閉端が、複数の半径方向開口部に向かってテーパがかかった円錐形の端壁を含み、したがってディフューザキャップが第二位置にあるときに、廃棄物処理剤がリザーバシステムからレセプタクルのチャンバ内に拡散する、請求の範囲第４項に記載のリザーバ。
【請求項６】
さらに着脱可能なクリップをスリーブに取り付けるつなぎを含む、請求の範囲第５項に記載のリザーバ。
【請求項７】
複数の半径方向開口部が、円筒形ディフューザキャップの周囲に等間隔にある、請求の範囲第５項に記載のリザーバ。
【発明の詳細な説明】
発明の分野
本発明は、一般的には、関連の吸引式排液システムとともに使用される使い捨ての廃棄物レセプタクルとともに使用する廃棄物処理剤を含むリザーバに関し、特に、使い捨ての廃棄物レセプタクルの上に配置して、関連の吸引式排液システムを使用して収集した廃棄物を処理することができ、したがって吸引排液手順の前にリザーバを予め配置し、手順の後に作動させることができるリザーバに関する。
発明の背景
今日一般に使用されている吸引式排液システムは、外科およびその他の患者処置による廃棄物（つまり体液）を収集する剛性コンテナまたは軟質ライナなどの、使い捨てのレセプタクルを有する。流体接続ラインが、使い捨てレセプタクルを患者の身体に接続する。別のラインが、レセプタクルを吸引源に接続する。吸引した廃棄物は往々にして感染性が強く、レセプタクルからの流出または漏出による露出は避けねばならない。流出および漏出は、レセプタクルの移送または交換中に最も多い。
したがって、露出の可能性を抑えるため、吸収材、ゲル化剤、または殺菌剤を与えて、処分前に廃棄物を処理することが望ましい。既知の廃棄物処理システムには、廃棄物処理剤を含むリザーバを、吸引式排液システムの使い捨てのレセプタクルに永続的に、および／または一体式に取り付けたものがある。永続的なリザーバは、状況によって異なる廃棄物処理剤を使用する能力を制限することになる。あるいは、柔軟性のある取付システムが、「吸引排液のゲル化処理」と題し、本発明の譲受人Abbott Laboratoriesに譲渡され、同譲受人が販売する米国特許出願第269,496号に開示されている。上記で開示された柔軟性のある取付廃棄物処理システムの一つの限界は、廃液の吸引式排液手順の前に、システムをセットアップできないことである。したがって、外科助手は、外科処置の実施中または外科処置の終了後に、廃棄物処理システムをセットアップし、作動させなければならない。小さい外科チームの場合は、外科処置の間または直後にこの廃棄物処理を開始するため、余分な人員を設けることができないこともある。したがって、危険な流体が未処理のまま放置され、外科処置の終了後しばらくは、潜在的な危険をもたらすことがある。
本発明の廃棄物処理システムは、外科処置中またはその後、廃液の迅速、効率的かつ便利な処理を促進するよう、特に構成されたものである。手術開始前に、廃棄物処理剤を含むリザーバを、廃棄物を処理する位置に配置し、使い捨てのレセプタクルが満杯に達したら、すぐに作動させることができる。したがって、廃棄物を含むレセプタクルは、満杯に達した直後に処理することができ、したがって汚染の可能性を軽減する。
発明の概要
本発明は、関連の吸引システムを使用して収集した廃棄物を処理するための廃棄物処理リザーバを対象とする。関連の吸引システムに接続された使い捨てのレセプタクルは、ライナなどの密閉チャンバおよび注ぎ口付きの蓋を含む。廃棄物処理リザーバは、廃棄物処理剤を貯蔵するため、開放口付きの閉じたコンテナを含む。円筒形の壁がディフューザキャップを形成し、開放端部とほぼ閉じた端部とを有する。閉端部は、円筒形壁を通って半径方向に開く複数の開口部を有する。円筒形のディフューザキャップの開端部は、処理剤コンテナの開放口を入れ子式に覆う。リザーバシステムは、さらに、組み合わせたディフューザキャップと薬剤容器とを使い捨てのレセプタクルの蓋の口に取り付ける、内壁およびおおむね同心円の外壁を有する二重壁スリーブを含む。スリーブの内壁の内面は、ディフューザキャップがスリーブに対して第一位置にあるときに、キャップの半径方向開口部を密封状態で覆う。内壁の外面および外壁は、レセプタクルのカバー口と嵌合可能で、したがってディフューザキャップは二重壁スリーブの第二位置へと摺動可能である。第二位置で、半径方向開口部は、スリーブの内壁の内面を越えて軸方向に移動する。これによって、廃棄物処理剤が、薬剤リザーバの内部から使い捨てレセプタクルのチャンバへと流れる開通路が可能となる。本発明の廃棄物処理リザーバは、外科処置前にシステムをセットアップし、外科処置直後に容易に作動させることができ、したがって有害な廃棄物を即座に、かつ効率的に処理できるよう構成される。
本発明のシステムのその他の特徴および利点は、以下の詳細な説明、添付図面類、および請求の範囲から容易に明らかになる。
【図面の簡単な説明】
第１図は、本発明の廃棄物処理剤リザーバシステムの構成要素および使い捨てレセプタクルの蓋の分解部分断面図である。
第２図は、レセプタクルの蓋上の用意の調った位置にあるリザーバシステムの部分断面図である。
第３図は、レセプタクル中の廃棄物を処理するよう、レセプタクルの蓋上で作動位置にあるリザーバシステムの部分断面図である。
第４図は、設定および接続する直前の、組み立てたリザーバシステムおよび使い捨てレセプタクルの斜視図である。
第５図は、安全クリップを外した状態で、レセプタクル上の用意が調った位置のリザーバシステムの斜視図である。
第６図は、システムを作動させ、廃棄物を処理した後の、リザーバシステムの斜視図である。
発明の詳細な説明
本発明には様々な実施の形態が考えられるが、本明細書の開示は本発明の例証と見なされ、例証された特定の実施形態に本発明を限定するものではないと理解し、現在の好ましい実施形態を図面で図示し、以下で説明する。
第１図を参照すると、本発明の原理を具体化した廃棄物処理リザーバシステム１０の分解図が図示されている。システムは、一体型の底部１４、側壁１６および肩１８を含むほぼ閉じたコンテナ１２を含む。円筒形の首部分２０が肩から延在し、開放口２２を含む。第一外周リップ２４および第二平行外周リップ２６が、首部分上に配置されている。コンテナ１２は、高密度ポリエチレン（ＨＤＰ）などの適切な熱可塑性樹脂からブロー成形されてもよい。
ディフューザキャップ３０は、開放端３４および実質的に閉じた端３６を有する円筒形壁部分３２を含む。閉端は、ディフューザキャップの開放端を向いた頂部を有する一体型の円錐形端壁３８によって規定される。複数の開口部４０が、ディフューザキャップの円筒形側壁の下半分を通って半径方向に延び、ディフューザキャップの内部からの通路を提供する。円筒形側壁は、開口部間で、内部縦リブ４２によって強化することができる。リブは、廃棄物処理材を適切な開口部を通って円錐形端壁の表面を下方向に案内するガイドとしても機能する。
ディフューザキャップ３０は、ディフューザキャップの開放端に第一内周溝４６、ディフューザキャップの中間に第二内周溝４８も含む。ディフューザの円筒形壁の外面に、わずかに隆起した外周リップ５０が配置される。ディフューザキャップは、ポリプロピレンなどの熱可塑性樹脂で射出成形することが好ましい。
ディフューザキャップの第一および第二内周溝４６および４８は、ディフューザキャップがコンテナの首部分に入れ子式に対合すると、コンテナ１２の首部分の第一および第二外周リップ２４および２６と対合する。ディフューザキャップ３０とコンテナ１２とがリザーバシステムの組立中に互いに対して容易に滑り嵌合するが、キャップとコンテナとの分離には協力に抵抗するよう、リップおよび溝は構成される。
二重壁スリーブ５４も、廃棄物処理リザーバシステムの第三構成要素として、ＨＰＤなどの適切な熱可塑性樹脂から射出成形される。二重壁スリーブは、内壁５６および外壁５８を含む。２枚の壁はほぼ同心円であるが、ぴったりテーパ嵌合して円筒形フランジと対合密封するよう、少なくとも一方の壁は、スリーブの軸に対してわずかな角度を有することが好ましい。
内壁の内面６０は、キャップがスリーブに対して第一位置にあるときに、ディフューザキャップの開口部４０も密封状態で覆う。スリーブの内面は、浅い上部内面溝６４および浅い下部内面溝６６を有する。スリーブに対するディフューザキャップの第一位置は、ディフューザキャップのわずかに隆起した外周リップ５０が、スリーブの浅い上部内面溝６４内にあるときに規定される。二重壁スリーブは、内外壁間に開放チャネル６２も含む。内壁５６および外壁５８は、開放チャネルがレセプタクルの蓋にある注入口の延長円筒形フランジ部分８８と入れ子式に嵌合するよう構成される。
二重壁スリーブ５４は、つなぎ接続部７２によってスリーブに一体接続される安全クリップ７０を含む。クリップはＣ字形であり、したがってクリップの端部は半円よりわずかに長く延びる。クリップ半円の内径は、ディフューザキャップ３０の外径とサイズが等しく、したがってプラスチック製クリップのアームは、ディフューザの周囲に弾性嵌合する。クリップ７０の軸長は、ディフューザキャップの上半分の軸長、つまり隆起した外側リップ５０から閉端３６までの長さと等しい。クリップがディフューザキャップの周囲に嵌合すると、クリップの軸長によって、ディフューザキャップの複数の開放口４０は、確実に、二重壁スリーブの内壁の内面６０によって覆われたままである。
使い捨てレセプタクル８０は、硬質蓋８２と、蓋に密封されて、蓋から下がる軟質ライナ８４とを含む。ライナおよび蓋はともに、たとえば１、２または３リットルの容量を有する密封チャンバを規定する。レセプタクルは、吸引式排液システムによって吸引された廃液を保持する。
蓋は、円筒形フランジ８８によって規定されて着脱可能なキャップ９０によって密閉された注ぎ口８６を含む。円筒形フランジも、二重壁スリーブの内壁５６と外壁５８との間にテーパ嵌合するため、テーパをつけてよい。二重壁スリーブの内壁と外壁との間のチャネル６２は、チャネルの開放端がコンテナ１２から離れた方向を向くよう、配向される。チャネルによって、廃棄物処理剤リザーバシステムは、レセプタクルの注入口上に容易にかつ密封状態に摺動することができる。
次に、吸引式排液システムによって使い捨てレセプタクルに収集された廃棄物の処理に、本発明を使用することについて説明する。第４図を参照すると、組み立てた廃棄物処理剤リザーバシステム１０は、二重壁スリーブ５４の開放チャネルが注入口８６の円筒形フランジ８８に面するよう配向されている。廃棄物処理剤リザーバ１０は、システムの時期尚早または偶発的な作動を防止するよう、ディフューザの上半分に配置された安全クリップ７０で、レセプタクルの使い捨ての蓋およびライナに接続される。廃棄物処理剤リザーバ１０が所定の位置にしっかりある状態で（第５図）、クリップ７０をディフューザキャップから外す。第３図および第６図から分るように、リザーバのコンテナの底部１４をかるく押すと、ディフューザキャップが二重壁スリーブの第二位置に摺動する。
第二位置は、ディフューザキャップのわずかに隆起した外周リップ５０が二重壁スリーブの浅い上部内面溝６４から浅い下部内面溝６６へ移動する、と規定される。この移動の結果は、第３図に図示され、これによってディフューザキャップの複数の開放口４０が、二重壁スリーブ５４の内壁の内面６０より先に移動する。第二位置で、リザーバ１０内にある廃棄物処理剤の通路は、コンテナ１２の内部からレセプタクルのチャンバへと開く。
さらに、処理剤がチャンバ内へと落ちる際に、ディフューザキャップの円錐形端壁３８が、廃液全体に廃棄物処理剤を分散させる。処理剤がゲル化剤、固化剤、殺菌剤、または上記のいずれかの組合せであっても、この分散が、より高速かつ効果的な廃棄物の処理を促進する。
二重壁スリーブ５４およびディフューザキャップの端壁３８が、注入口の口キャップ９０と密封状態で置き換わり、したがって外科処置の開始前に、廃棄物処理剤リザーバシステムを、使い捨てレセプタクル上に予め配置することができる。スリーブおよび端壁による密封で、吸引排液システムは、所定の位置に予め配置された廃棄物処理剤リザーバとともに作動し、ライナ内に廃棄物を収集することができる。したがって、使い捨てレセプタクルが容量に達したら、外科助手は迅速に安全クリップ７０を外し、コンテナの底部１４を押下してシステムを作動させることができる。廃棄物処理剤が、潜在的に有害な廃液に迅速かつタイムリーに作用する。これによって、使い捨てレセプタクルを交換するか、移動させることが望ましい場合に、廃液が未処理の状態であるという危険が軽減される。
上記から、本発明の斬新な概念の真の精神および範囲から逸脱することなく、無数の修正および変形が実行できることが理解される。本明細書の開示は、広く理解され、本明細書で開示された特定の実施形態については、何の制約も意図されず、想定されない。開示は、添付の請求の範囲によって、請求の範囲に含まれるすべての修正を対象とするものとする。
【図１】
0003707561.tif 000002
【図２】
0003707561.tif 000003
【図３】
0003707561.tif 000004
【図４】
0003707561.tif 000005
【図５】
0003707561.tif 000006
【図６】
0003707561.tif 000007